(57)【要約】【課題】  表からだけ画像が見え裏からは景色等が透けて見えるシースループリントにおいては、表の画像面が裏面よりも明るいという設置環境が必要であった。  このため、店鋪のウインドーなどに使用した場合、表の画像面よりも店舗内が明るくなると、画像が殆ど見えなくなるという不都合が生じる。【解決手段】  透明の板状素材の片面にシースループリント画像を形成した基板と、前記基板の側端面に配置した光源と、前記基板と前記光源を保持するホルダーを具備し、前記基板内を進行する全反射光で前記シースループリント画像を照明することを特徴とする表示装置。【選択図】図３
2012053435.tif 000002
【特許請求の範囲】
【請求項１】
透明の板状素材の片面にシースループリント画像を形成した基板と、前記基板の側端面に配置した光源と、前記基板と前記光源を保持するホルダーを具備し、前記基板内を進行する全反射光で前記シースループリント画像を照明することを特徴とする表示装置。
【請求項２】
前記シースループリント画像が、自己粘着性を有する透明樹脂フィルムに印刷されており、前記透明樹脂フィルムの自己粘着力で前記板状素材に密着させて前記基板を形成したことを特徴とする請求項１に記載の表示装置。
【請求項３】
前記シースループリント画像が、透明樹脂フィルムに印刷されており、そのシートの印刷面に付加された透明な接着剤或いは自己粘着性を有する透明樹脂を用いて、前記板状素材に密着させて前記基板を形成したことを特徴とする請求項１に記載の表示装置。
【請求項４】
前記シースループリント画像が、無数に穴のあいたシートに印刷されており、そのシートの印刷面に付加された透明な接着剤或いは自己粘着性を有する透明樹脂を用いて、前記板状素材に密着させて前記基板を形成したことを特徴とする請求項１に記載の表示装置。
【請求項５】
前記シースループリント画像が、前記板状素材に直接印刷されて前記基板を形成したことを特徴とする請求項１に記載の表示装置。
【請求項６】
前記シースループリント画像の背後に、暗黒色の遮光板を設けたことを特徴とする請求項１に記載の表示装置。
【請求項７】
前記請求項１の表示装置を前後に複数台配置し、前記表示装置の光源を適宜入切して、前記表示装置の画像を選択表示することが可能な表示装置。
【請求項８】
前記請求項１の表示装置を、内照式電飾装置の前面に１台或いは複数台配置し、前記請求項１の表示装置の光源と前記内照式電飾装置の光源を適宜入切して、前記画像と前記内照式電飾装置の画像を選択表示することが可能な表示装置。
【発明の詳細な説明】
【技術分野】
【０００１】  本発明は、設置環境の明暗に影響されずに鮮明な画像が見られるシースループリント表示装置並びに表示画像を選択可能な表示装置に関する。
【背景技術】
【０００２】  透明のシートの表面にストライプあるいは方眼を白色インクで無数に印刷した上に画像を描き、裏面はストライプまたは方眼を黒色インクで表の白インクと表裏一体に印刷し、表からだけ画像が見え裏からは景色等が透けて見えるシースループリント、或いは、表面が白く裏面が黒いシートに丸穴を無数に設けることにより同様の効果が得られるシースループリントが実用化されている。（特許文献１参照）【０００３】  また、透明アクリル板の側端面からＬＥＤ光を照射し、アクリル板の背面に設けた反射板で拡散乱反射した光で、アクリル板前面に設けた乳白色フィルムに描かれた画像などを背面から透過照射する内照式表示板が実用化されている。（特許文献２参照）
【先行技術文献】
【特許文献】
【０００４】
【特許文献１】実願  昭５５−９１０５１号公報
【特許文献２】特許公開平８−４１８３１号公報
【０００５】
【発明の概要】
【発明が解決しようとする課題】
【０００６】前記シースループリントのシースルー効果の原理は、人は明るい方を注目するという習性を利用したもので、表から見ると、前記シースループリントの透明部分或いは丸穴部分から見える暗い裏側の室内などには目が行かず、表の明るい画像面に目が行き、裏側の室内側から見ると、シースループリントの黒いストライプには目が行かず、前記シースループリントの透明部分或いは丸穴部分から見える明るい景色に目が行くので、外の景色が透けたように見えることにある。【０００７】したがってシースルー効果を得るには、表の画像面が明るく裏側が暗いという設置環境が必要である。【０００８】  この設置環境が満たされない場合には、画像が見え難いという短所がある。【０００９】  このため、店鋪のウインドーなどに使用した場合、夜間など店鋪内が照明されると表の画像面よりも裏面が明るくなり、画像が殆ど見えなくなるという不都合が生じる。【００１０】  上述の不都合を解決するための手段として、画像面に外部からスポットライトなどで照明する手段があるが、ウインドーのガラス面に照明が反射し、画像が見難いという不都合が生じる。【００１１】  また、照明装置を設置する必要があり、照明装置本体購入費に加え、取り付け工事などの費用が発生する。【００１２】  本発明は、このような従来のシースループリントが有していた本質的な問題を解決しようとするものであり、設置環境の明暗に左右されず、例えば夜間でも視認可能なシースループリント表示装置を実現し、更に本発明の表示装置を複数台用いて、複数枚の画像を選択表示可能な表示装置を実現することを目的とするものである。【００１３】  なお、特許文献２は、エッジライト方式のバックライト表示装置についての発案であり、半透過性の表示対象を背面から照らし透過光を観察者が見る構造であって、背面に設けた反射板などが遮蔽物となり、複数枚の画像を前後に並べて選択的に見ることはできない。【００１４】
【課題を解決するための手段】
【００１５】  本発明は、透明の板状素材の片面にシースループリント画像を形成した基板と、前記基板の側端面に配置した光源と、前記基板と前記光源を保持するホルダーを具備し、前記基板内を進行する全反射光で前記シースループリント画像を照明することを特徴とする表示装置を実現するものである。【００１６】  なお、シースループリントとは、フレックスビジョン、コントラビジョン、ワンウエイビジョン（何れも登録商標）などの総称で、フィルム或いは布などのシート状の媒体に、無数の穴或いは透明な幾何学模様を設け、穴或いは透明箇所以外のオモテ面には画像が描かれウラ面は暗黒色に塗られ、オモテ側からは画像が視認され、ウラ側からは穴或いは透明箇所を通して見える外部の景色などが視認できる印刷物を意味する。
【発明の効果】
【００１７】  従来のシースループリントは、画像面が明るく反対の裏面が暗いという設置条件が必要であったが、本発明の表示装置では、設置環境に左右されること無く、鮮明な画像が見られる。【００１８】したがって、夜間営業の多い飲食店や昼間でも明るい照明をする美容関係の店鋪などでも使用できる。【００１９】額縁（フレーム）入りの形状や、タペストリー形状の製品では、店舗の窓などに容易に設置することができ、昼夜を問わずウインドーを利用した効果的な視認効果が期待できる。【００２０】スポットライトなどの外部照明を使用する場合に比べ、ウインドーなどのガラス面からの反射が無く画像が見易い。【００２１】一般の外部照明では、画像面からある程度離れた距離から照明する必要があり、明るい光源を必要とするのに対し、本発明では画像面に極めて近い位置に光源を配置するので、発光ダイオードなどの小さな光源でよく、省エネに寄与する。【００２２】更に、本表示装置を前後に複数重ねて配置し、個々の表示装置の点灯と消灯を適宜制御することにより、表示される画像が瞬時に切り替わる極めて視認効果の高い電飾看板や電飾パネルが実現できる。
【図面の簡単な説明】
【００２３】
【図１】本発明の第１の実施形態を示す表示装置の正面図
【図２】本発明の第１の実施形態を示す表示装置の背面図
【図３】図２のＡ−Ａ断面図
【図４】本発明の第２の実施形態を示す表示装置の正面図
【図５】本発明の第２の実施形態を示す表示装置の背面図
【図６】図５のＢ−Ｂ断面図
【図７】本発明の第３の実施形態を示す表示装置の正面図
【図８】本発明の第３の実施形態を示す表示装置の背面図
【図９】図８のＣ−Ｃ断面図
【図１０】４辺にホルダーを有する構造の正面図
【図１１】相対する２辺にホルダーを有する構造の正面図
【図１２】１辺のみにホルダーを有する構造の正面図
【図１３】本発明の第３の実施形態を示す立面図
【図１４】本発明の第４の実施形態を示す見取り図
【図１５】本発明の第４の実施形態を示す側面図
【図１６】本発明の第５の実施形態を示す見取り図
【図１７】本発明の第５の実施形態を示す側面図
【図１８】本発明の第６の実施形態を示す見取り図
【図１９】本発明の第６の実施形態を示す側面図
【発明を実施するための形態】
【００２４】図１、図２、図３は、本発明の第１の実施例で、ストライプ状パターン２を印刷した自己粘着性を有する透明軟質塩化ビニールシート１が、透明アクリル製の板状素材５の背面に密着貼付されており、前記板状素材５の左右２辺には、光源であるＬＥＤ６が配置されている。
【００２５】図１において、シート１及び白いパターン２は、透明アクリル製の板状素材５の背後にあるが、アクリル板が透明であるので、敢えて破線ではなく実線で示した。
【００２６】なお、ストライプ状パターン２の上に重ねて描かれる画像については、説明の都合上図１には省略されている。
【００２７】図２は、裏側から見た図で、透明塩化ビニールシート１に黒いストライプ３が印刷されている。
【００２８】図３は、図２のＡ−Ａ断面図で、４は画像が印刷されている印字層で、２は白色インク層、３は黒色インク層である。
【００２９】前記光源６から発せられ板状素材５の側端面から入射した光は、前記板状素材５の表面ならびに前記透明軟質塩化ビニールシート１のインクの塗布されていない部分では、Ｌ１のように全反射を繰り返す。
【００３０】一方、前記透明軟質塩化ビニールシート１のインクの塗布面に入射した光は、Ｌ２のように乱反射する。
【００３１】この乱反射光が観察者の目に入り、明るい画像として認識される。
【００３２】なお、上記の過程で、前記シート１が空隙無く前記板状素材５に密着していることが必要で、密着している場合には、前記板状素材５と前記シート１との屈折率が近いため、前記板状素材５内を進行してきた光は前記板状素材５と前記シート１の境界面で全反射することなく、前記シート１内に入射する。
【００３３】もし、前記板状素材５と前記シート１との境界面に空隙があると、前記板状素材５内を進行してきた光は前記境界面で全反射してしまい、画像を照らすことができない。
【００３４】前記シート１の自己粘着性は、空隙無く前記板状素材５に密着するために重要である。
【００３５】また、前記シート１のインクが塗布されていない透明部分では、前記シート１内を進行してきた光が空気との境界面ポイントＳでＬ１のように全反射し、再度前記板状素材５内に戻り全反射をくり返すので、光源から離れた遠方まで光が届くことになり、印字層４に描かれた画像が広範囲に照明される。
【００３６】仮に、ストライプパターンではなく全面が白色の背景に画像が描かれていた場合、画像面の全てで乱反射することになり、光量が急速に失われて印字層に描かれた画像を広く照明することができない。
【００３７】上記の実施例は、シースループリントのストライプパターンを用いたものであるが、縦横に透明のストライプを設けた方眼パターンにおいても、前記板状素材５及び前記シート１内を伝播する光は同様の挙動をすることは明らかである。
【００３８】図４、図５、図６は、本発明の第２の実施例であり、穴開きタイプのシースループリントシート１７のオモテ面は白色、裏面は黒色で、無数の穴８が空けられている。
【００３９】図４において、シート１７及び白いパターン７は、透明アクリル製の板状素材５の背後にあるが、アクリル板が透明であるので、敢えて破線ではなく実線で示した。
【００４０】１１は透明の糊または自己粘着性を有する透明樹脂フィルムで、前記シート１７のインク層１０に塗布あるいは密着されている。
【００４１】前記板状素材５のエッジから入射した光は、前記板状素材５の表面ならびに前記シート１７の穴の部分では、Ｌ１のように全反射を繰り返す。
【００４２】一方、前記シート１７のインクの塗布部分に入射した光は、Ｌ２のように乱反射する。
この乱反射光が観察者の目に入り、明るい画像として認識される。
【００４３】なお、上記の過程で、前記シート１７が空隙無く前記板状素材５に密着していることが必要で、密着している場合には、前記板状素材５と前記糊或いは自己粘着性を有する透明樹脂１１との屈折率が近いため、前記盤面５内を進行してきた光は前記透明糊或いは自己粘着性を有する透明樹脂１１の境界面で全反射することなく、透明糊或いは自己粘着性を有する透明樹脂１１内に入射する。
【００４４】また、前記シート１７の穴８の部分では、透明糊或いは自己粘着性を有する透明樹脂透シート１１が空気に接しており、前記透明糊或いは自己粘着性を有する透明樹脂１１内を進行してきた光は、空気との境界面で全反射し、再度前記盤面５内に戻りＬ１のように全反射をくり返すので、光源から遠方に光が届くことになり、印字層に描かれた画像を照明する。
【００４５】仮に、穴があいておらず全面が白色の背景に画像が描かれていた場合、画像面の全てで乱反射することになり、光量が急速に失われて盤面を広く照明することができない。
【００４６】このように、シースループリントの無数の穴は、シースルー効果に不可欠の物であると共に、全反射を利用した照明にも重要である。
【００４７】図７、図８、図９は、本発明の第３の実施例で、透明アクリル製の板状素材５の表面に印字層４、白いストライプパターン２並びに黒いストライプパターン３が直接シルク印刷されている
【００４８】図７において、白いパターン２は、透明アクリル製の板状素材５の背後にあるが、アクリル板が透明であるので、敢えて破線ではなく実線で示した。
【００４９】光源６から発せられ板状素材５の側端面から入射した光は、前記板状素材５のインクの塗布されていない部分では、板状素材５は空気と境界を接しているため、Ｌ１のように全反射を繰り返す。
【００５０】一方、前記板状素材５のインクの塗布面では、板状素材５は空隙を作ることなく印字層４と接しているため、光はＬ２のように印字層表面に達して乱反射し、この乱反射光が観察者の目に入り、明るい画像として認識される
【００５１】なお、図１から図９には、前記板状素材５と前記光源６を保持するホルダーを省略してある。
【００５２】図１０から図１２で、前記板状素材５と前記光源６を保持するホルダーを説明する。
【００５３】図１０は、板状素材５の４辺にＬＥＤ６を並べ、ホルダー１２で周囲を額縁のように囲った形状である。
【００５４】図１１は、相対する２辺をホルダー１３で保持した形である。
【００５５】図１２は、１辺のみをホルダー１４で保持した形である。
【００５６】図１から図９の板状素材５がアクリルのような硬質樹脂で作られている場合には、ホルダー１２、１３、１４は、硬質の樹脂或いは金属ならびに木材などで構成するのが一般的であるが、板状素材５が柔軟性のある軟質透明樹脂で作られている場合は、ホルダー１２、１３、１４を軟質塩化ビニールなどの柔軟な樹脂で作ることにより、曲面に沿って設置可能な照明装置が実現できる。
【００５７】図１３は、第４の実施例であり、第１の実施例におけるシースループリントの背面に、暗黒色の遮光板１５を設けたもので、裏から外が見えるというシースルー効果は無いが、表の画像が一層鮮明に見える効果があり、壁面に架けるなどのシースルー効果が必要とされない用途に適する。
【００５８】遮光板１５は、暗黒色で光を遮るものであれば、紙、布、板などで構わない。
【００５９】なお、図１３に描かれているシースループリントの黒いストライプパターン３は、シースルー効果が不要であるから省略可能である。
【００６０】また、第４の実施例は、第２及び第３の実施例においても第１の実施例への適用と同様に実施可能であることは勿論である。
【００６１】図１４及び図１５は、第５の実施例で、実施例１の表示装置２台を前後に近接して並べた表示装置で、表示装置１６ａにはシースループリント画像Ａが描かれ、表示装置１６ｂには画像Ａとは異なるシースループリント画像Ｂが描かれている。
【０６２】夜間など周囲が暗い環境においては、表示装置１６ａのＬＥＤを点灯し表示装置１６ｂのＬＥＤを消灯した状態では、表示装置１６ａに描かれた画像Ａが視認され、逆に表示装置１６ａのＬＥＤを消灯し表示装置１６ｂのＬＥＤを点灯した状態では、手前にある表示装置１６ａの画像Ａは見えず、表示装置１６ａのストライプパターンなどの透明部分を通して、表示装置１６ｂに描かれた画像Ｂが視認される。
【０６３】したがって、表示装置１６ａと表示装置１６ｂの点灯と消灯を適宜切り代えることにより、視認画像を選択することが可能な表示装置が実現できる。
【００６４】図１６、図１７は第６の実施例で、１８は既存の内照式電飾装置で、１６ａは実施例１の表示装置で、既存の内照式電飾装置１８の前に置かれている。
【００６５】表示装置１６ａにはシースループリント画像Ａが描かれ、既存の内照式電飾装置１８には画像Ａとは異なるシースループリントではない通常の画像Ｃが描かれている。
【００６６】第５の実施例と同様に、前記表示装置１６ａと内照式電飾装置１８の光源を適宜入り切りすることにより、視認画像を選択することが可能な表示装置が実現できる。
【００６７】  なお、内照式電飾装置１８はシースルー機能が無いので、実施例６の表示装置にもシースルー機能は無く、シースルー効果が不要な壁面電飾看板などの用途に適する。
【００６８】図１８及び図１９は、第７の実施例で、実施例１の表示装置２台を前後に近接して並べた表示装置で、表示装置１６ｃにはシースループリント画像１９ｃが描かれ、表示装置１６ｄにはシースループリント画像１９ｄが描かれている。
【００６９】画像１９ｃは、ストライプ状のパターンの上に描かれているが、画像１９ｃ以外の部分は透明であり、同様に画像１９ｄは、ストライプ状のパターンの上に描かれているが、画像１９ｄ以外の部分は透明である。
【００７０】画像１９ｄは、画像１９ｃと視覚的に重ならないように配置されており、表示装置１６ｃと表示装置１６ｄを共に点灯しても、奥の画像１９ｄを遮るものが無いので、画像１９ｃと画像１９ｄが共に視認される。
【００７１】初めに表示装置１６ｃだけを点灯し画像１９ｃを見せ、次に表示装置１６ｄも点灯することで、画像１９ｃに画像１９ｄが時間的に後から追加表示され、第４の実施例や第５の実施例のような複数の画像から一つだけを選択表示するのとは異なる表現が可能である。
【００７２】なお、シースルー機能が不要な場合には、表示装置１６ｄを既存の内照式電飾装置に置き換えることが可能である。
【符号の説明】
【００７３】１      軟質塩化ビニール製の透明シート
２      オモテの白いストライプパターン
３      裏面の黒いストライプパターン
４      画像が印刷されている印字層
５      透明なアクリル製の板状素材
６      ＬＥＤ光源
７      穴開きタイプのシースループリントシートのオモテ面のパターン
８      穴開きタイプのシースループリントシートの穴
９      穴開きタイプのシースループリントの黒い裏面のパターン
１０    画像が印刷されている印字層
１１    透明糊または透明自己粘着樹脂
１２、１３，１４  ホルダー
１５    暗黒色の遮光板
１６ａ  印字層に画像Ａが描かれた請求項１の表示装置
１６ｂ  印字層に画像Ｂが描かれた請求項１の他の表示装置
１６ｃ  印字層の画像以外の部分が透明である請求項１の表示装置
１６ｄ  印字層の画像以外の部分が透明である請求項１の他の表示装置
１７    穴開きタイプのシースループリントシート
１８    内照式電飾装置
１９ｃ  表示装置１６ｃに描かれた画像
１９ｄ  表示装置１６ｄに描かれた画像
Ｌ１    全反射光
Ｌ２    乱反射光
Ｓ      全反射ポイント
【図１】
2012053435.tif 000003
【図２】
2012053435.tif 000004
【図３】
2012053435.tif 000005
【図４】
2012053435.tif 000006
【図５】
2012053435.tif 000007
【図６】
2012053435.tif 000008
【図７】
2012053435.tif 000009
【図８】
2012053435.tif 000010
【図９】
2012053435.tif 000011
【図１０】
2012053435.tif 000012
【図１１】
2012053435.tif 000013
【図１２】
2012053435.tif 000014
【図１３】
2012053435.tif 000015
【図１４】
2012053435.tif 000016
【図１５】
2012053435.tif 000017
【図１６】
2012053435.tif 000018
【図１７】
2012053435.tif 000019
【図１８】
2012053435.tif 000020
【図１９】
2012053435.tif 000021